(57)【要約】【課題】ディスク装置側で表示されるオンスクリーン表示の表示位置を変更することによって、オンスクリーン表示が表示部からはみ出すことを防止するとともに、ディスク装置側でオンスクリーン表示を表示している際に、使用者がオンスクリーン表示を消去する操作を行うことなく、映像サイズの変換を行うことが可能な表示装置を提供する。【解決手段】このディスク装置付きテレビジョン１（表示装置）は、装置本体１０に内蔵され、ＤＶＤ４０を再生表示するディスク装置１２と、映像サイズ変換の制御を行う本体側制御部１１ｉとを備える。そして、ディスク装置１２は、オンスクリーン表示が可能なＯＳＤ表示部１２ｃと、本体側制御部１１ｉからの信号に基づいて、オンスクリーン表示の消去、表示位置の変更および再表示を制御する制御部１２ｂとを含む。【選択図】図２
2008135954.tif 000002
【特許請求の範囲】
【請求項１】
映像の表示が可能な表示部を含む装置本体と、前記表示部で再生表示する映像に、文字を含む情報を重ねて表示するオンスクリーン表示手段と、映像のサイズ変換の制御を行う本体側制御部とを備えた表示装置において、
前記装置本体に内蔵され、記録媒体に記録された映像データに基づいて前記表示部に映像を再生表示することが可能な記録媒体装置と、
前記本体側制御部によって制御され、映像のサイズ変換を行う映像サイズ変換部と、
前記本体側制御部と通信可能で、変換される映像の映像サイズに応じた位置に、前記オンスクリーン表示を表示するための表示位置データを予め記録可能な記録部とをさらに備え、
前記記録媒体装置は、前記本体側制御部と通信可能で、かつ、前記オンスクリーン表示手段による前記オンスクリーン表示を制御する記録媒体装置側制御部とを含み、
前記本体側制御部は、前記記録媒体装置側制御部に前記オンスクリーン表示の消去要求信号を送信した後に、前記表示部に表示される映像のサイズ変換の制御を行い、
前記本体側制御部は、前記映像サイズ変換部によって映像のサイズ変換を行う際に、前記記録媒体装置側制御部に前記オンスクリーン表示の消去要求信号を送信するとともに、前記記録媒体装置側制御部からの前記オンスクリーン表示の消去通知信号を受信したことに応答して、前記映像サイズ変換部による映像のサイズ変換の制御を行うとともに、前記記録媒体装置側制御部に前記オンスクリーン表示の表示位置の変更要求信号を送信し、
前記本体側制御部は、前記記録部に予め記録された前記表示位置データを、前記記録媒体装置側制御部に送信可能なように構成され、
前記記録媒体装置側制御部は、前記本体側制御部により、前記表示部に表示される映像のサイズ変換の制御を行う際に、前記本体側制御部からの信号に基づいて、前記オンスクリーン表示の消去および表示位置の変更を行うとともに、変更された表示位置で前記オンスクリーン表示の前記表示部による再表示を制御し、
前記記録媒体装置側制御部は、前記本体側制御部から前記オンスクリーン表示の消去要求信号を受信したことに応答して、前記オンスクリーン表示手段による前記オンスクリーン表示の消去を制御するとともに、前記本体側制御部に前記オンスクリーン表示の消去通知信号を送信し、前記本体側制御部から前記オンスクリーン表示の表示位置の変更要求信号を受信したことに応答して、前記オンスクリーン表示手段による前記オンスクリーン表示の表示位置の変更および前記表示部による再表示の制御を行うように構成されている、表示装置。
【請求項２】
映像の表示が可能な表示部を含む装置本体と、
前記装置本体に内蔵され、記録媒体に記録された映像データに基づいて前記表示部に映像を再生表示することが可能な記録媒体装置と、
少なくとも映像のサイズ変換の制御を行う本体側制御部とを備え、
前記記録媒体装置は、前記表示部で再生表示する映像に、文字を含む情報を重ねて表示するオンスクリーン表示手段と、前記本体側制御部と通信可能で、かつ、前記オンスクリーン表示手段による前記オンスクリーン表示を制御する記録媒体装置側制御部とを含み、
前記本体側制御部により、前記表示部に表示される映像のサイズ変換の制御を行う際に、前記記録媒体装置側制御部は、前記本体側制御部からの信号に基づいて、前記オンスクリーン表示の消去および表示位置の変更を行うとともに、変更された表示位置で前記オンスクリーン表示の前記表示部による再表示を制御するように構成されている、表示装置。
【請求項３】
前記本体側制御部は、前記記録媒体装置側制御部に前記オンスクリーン表示の消去要求信号を送信した後に、前記表示部に表示される映像のサイズ変換の制御を行うように構成される、請求項２に記載の表示装置。
【請求項４】
前記本体側制御部によって制御され、映像のサイズ変換を行う映像サイズ変換部をさらに備え、
前記本体側制御部は、前記映像サイズ変換部によって映像のサイズ変換を行う際に、前記記録媒体装置側制御部に前記オンスクリーン表示の消去要求信号を送信するとともに、前記記録媒体装置側制御部からの前記オンスクリーン表示の消去通知信号を受信したことに応答して、前記映像サイズ変換部による映像のサイズ変換の制御を行うとともに、前記記録媒体装置側制御部に前記オンスクリーン表示の表示位置の変更要求信号を送信するように構成され、
前記記録媒体装置側制御部は、前記本体側制御部から前記オンスクリーン表示の消去要求信号を受信したことに応答して、前記オンスクリーン表示手段による前記オンスクリーン表示の消去を制御するとともに、前記本体側制御部に前記オンスクリーン表示の消去通知信号を送信し、前記本体側制御部から前記オンスクリーン表示の表示位置の変更要求信号を受信したことに応答して、前記オンスクリーン表示手段による前記オンスクリーン表示の表示位置の変更および前記表示部による再表示の制御を行うように構成されている、請求項２または３に記載の表示装置。
【請求項５】
前記本体側制御部と通信可能で、変換される映像の映像サイズに応じた位置に、前記オンスクリーン表示を表示するための表示位置データを予め記録可能な記録部をさらに備え、
前記本体側制御部は、前記記録部に予め記録された前記表示位置データを、前記記録媒体装置側制御部に送信可能なように構成されている、請求項２〜４のいずれか１項に記載の表示装置。
【発明の詳細な説明】
【技術分野】
【０００１】
この発明は、表示装置に関し、特に、オンスクリーン表示手段と、映像のサイズ変換の制御を行う本体側制御部とを備えた表示装置に関する。
【背景技術】
【０００２】
従来、オンスクリーン表示手段と、映像のサイズ変換の制御を行う本体側制御部とを備えた表示装置などが知られている（たとえば、特許文献１〜３参照）。
【０００３】
上記特許文献１には、オンスクリーン表示の表示位置を補正することによって、映像サイズを変換した際に、オンスクリーン表示が画面（表示部）からはみ出すことを防止可能なオンスクリーン表示位置補正装置が開示されている。この特許文献１によるオンスクリーン表示位置補正装置は、記録媒体に記録された映像データに基づいて画面（表示部）に映像を再生表示することが可能な記録媒体装置を備えていないので、記録媒体装置側のオンスクリーン表示手段を制御する機能を有していない。
【０００４】
また、上記特許文献２には、画面（表示部）に応じてオンスクリーン表示の表示位置を切り換えることによって、映像サイズを変換した際に、オンスクリーン表示が画面（表示部）からはみ出すことを防止可能なオンスクリーン表示回路が開示されている。この特許文献２によるオンスクリーン表示回路では、記録媒体に記録された映像データに基づいて画面（表示部）に映像を再生表示することが可能な記録媒体装置を備えていないので、記録媒体装置側のオンスクリーン表示手段を制御する機能を有していない。
【０００５】
また、上記特許文献３には、ＤＶＤ（記録媒体）装置を備え、テレビ側とＤＶＤ（記録媒体）装置側とが、それぞれ映像サイズ変換機能およびオンスクリーン表示機能を有するＤＶＤ装置一体型テレビジョン受像機が開示されている。この特許文献３によるＤＶＤ装置一体型テレビジョン受像機では、テレビ側とＤＶＤ（記録媒体）装置側とが、それぞれ画面（表示部）からはみ出さないように、映像サイズに応じたオンスクリーン表示の表示位置の補正が可能なように構成されることによって、テレビ側で映像サイズを変換する際およびＤＶＤ（記録媒体）装置側で映像サイズを変換する際の両方の場合に、オンスクリーン表示が画面（表示部）からはみ出すことを防止することができる。なお、このＤＶＤ装置一体型テレビジョン受像機は、ＤＶＤ（記録媒体）装置側でオンスクリーン表示を表示している際には、映像サイズの変換ができない構成となっている。
【０００６】
【特許文献１】特開平１１−２２０６７４号公報
【特許文献２】特開平０５−８３６６３号公報
【特許文献３】特開２００５−６５１０７号公報
【発明の開示】
【発明が解決しようとする課題】
【０００７】
しかしながら、上記特許文献１に記載のオンスクリーン表示位置補正装置と上記特許文献２に記載のオンスクリーン表示回路では、記録媒体装置側のオンスクリーン表示手段を制御する機能を有していないため、記録媒体装置を備えた表示装置に適用した場合、記録媒体装置側で表示されるオンスクリーン表示の表示位置の変更（補正）ができないという不都合が生じる。その結果、記録媒体装置側で表示されるオンスクリーン表示が画面（表示部）からはみ出すことを防止することができないという問題点がある。
【０００８】
また、上記特許文献３に記載のＤＶＤ装置一体型テレビジョン受像機では、ＤＶＤ（記録媒体）装置側でオンスクリーン表示を表示している際には、映像サイズの変換ができない構成となっているので、使用者は映像サイズの変換指示を行う前に、オンスクリーン表示を消去する操作を行う必要があるという問題点がある。
【０００９】
この発明は、上記のような課題を解決するためになされたものであり、この発明の１つの目的は、記録媒体装置側で表示されるオンスクリーン表示の表示位置を変更することによって、オンスクリーン表示が表示部からはみ出すことを防止するとともに、記録媒体装置側でオンスクリーン表示を表示している際に、使用者がオンスクリーン表示を消去する操作を行うことなく、映像サイズの変換を行うことが可能な表示装置を提供することである。
【課題を解決するための手段および発明の効果】
【００１０】
この発明の第１の局面による表示装置は、映像の表示が可能な表示部を含む装置本体と、表示部で再生表示する映像に、文字を含む情報を重ねて表示するオンスクリーン表示手段と、映像のサイズ変換の制御を行う本体側制御部とを備えた表示装置において、装置本体に内蔵され、記録媒体に記録された映像データに基づいて表示部に映像を再生表示することが可能な記録媒体装置と、本体側制御部によって制御され、映像のサイズ変換を行う映像サイズ変換部と、本体側制御部と通信可能で、変換される映像の映像サイズに応じた位置に、オンスクリーン表示を表示するための表示位置データを予め記録可能な記録部とをさらに備え、記録媒体装置は、本体側制御部と通信可能で、かつ、オンスクリーン表示手段によるオンスクリーン表示を制御する記録媒体装置側制御部とを含み、本体側制御部は、記録媒体装置側制御部にオンスクリーン表示の消去要求信号を送信した後に、表示部に表示される映像のサイズ変換の制御を行い、本体側制御部は、映像サイズ変換部によって映像のサイズ変換を行う際に、記録媒体装置側制御部にオンスクリーン表示の消去要求信号を送信するとともに、記録媒体装置側制御部からのオンスクリーン表示の消去通知信号を受信したことに応答して、映像サイズ変換部による映像のサイズ変換の制御を行うとともに、記録媒体装置側制御部にオンスクリーン表示の表示位置の変更要求信号を送信し、本体側制御部は、記録部に予め記録された表示位置データを、記録媒体装置側制御部に送信可能に構成され、記録媒体装置側制御部は、本体側制御部により、表示部に表示される映像のサイズ変換の制御を行う際に、本体側制御部からの信号に基づいて、オンスクリーン表示の消去および表示位置の変更を行うとともに、変更された表示位置でオンスクリーン表示の表示部による再表示を制御し、記録媒体装置側制御部は、本体側制御部からオンスクリーン表示の消去要求信号を受信したことに応答して、オンスクリーン表示手段によるオンスクリーン表示の消去を制御するとともに、本体側制御部にオンスクリーン表示の消去通知信号を送信し、本体側制御部からオンスクリーン表示の表示位置の変更要求信号を受信したことに応答して、オンスクリーン表示手段によるオンスクリーン表示の表示位置の変更および表示部による再表示の制御を行うように構成されている。
【００１１】
この第１の局面による表示装置では、上記のように、装置本体に内蔵された記録媒体装置が、表示部で再生表示する映像に、文字を含む情報を重ねて表示するオンスクリーン表示手段と、本体側制御部と通信可能で、かつ、オンスクリーン表示手段によるオンスクリーン表示を制御する記録媒体装置側制御部とを含み、記録媒体装置側制御部が、本体側制御部からの信号に基づいて、オンスクリーン表示の消去および表示位置の変更を行うとともに、変更された表示位置でオンスクリーン表示の表示部による再表示を制御するように構成することによって、記録媒体装置側で表示されるオンスクリーン表示の表示位置を変更することができるので、サイズ変換後に記録媒体装置側で表示されるオンスクリーン表示が表示部からはみ出すことを防止することができる。また、記録媒体装置側制御部が、本体側制御部からの信号に基づいて、オンスクリーン表示の消去を行うことによって、記録媒体装置側でオンスクリーン表示を表示している際に、使用者がオンスクリーン表示を消去する操作を行うことなく、映像サイズの変換を行うことができる。
【００１２】
また、第１の局面による表示装置では、本体側制御部を、記録媒体装置側制御部にオンスクリーン表示の消去要求信号を送信した後に、表示部に表示される映像のサイズ変換の制御を行うように構成することによって、映像に重ねて表示されたオンスクリーン表示が、映像とともにはサイズ変換されないので、サイズ変換時にオンスクリーン表示が表示部からはみ出すことを防止することができる。これによりサイズ変換後のみならず、サイズ変換時にも、オンスクリーン表示が表示部からはみ出すことを防止することができる。また、本体側制御部によって制御され、映像のサイズ変換を行う映像サイズ変換部を備え、本体側制御部は、映像サイズ変換部によって映像のサイズ変換を行う際に、記録媒体装置側制御部にオンスクリーン表示の消去要求信号を送信するとともに、記録媒体装置側制御部からのオンスクリーン表示の消去通知信号を受信したことに応答して、映像サイズ変換部による映像のサイズ変換の制御を行うとともに、記録媒体装置側制御部にオンスクリーン表示の表示位置の変更要求信号を送信し、記録媒体装置側制御部は、本体側制御部からオンスクリーン表示の消去要求信号を受信したことに応答して、オンスクリーン表示手段によるオンスクリーン表示の消去を制御するとともに、本体側制御部にオンスクリーン表示の消去通知信号を送信し、本体側制御部からオンスクリーン表示の表示位置の変更要求信号を受信したことに応答して、オンスクリーン表示手段によるオンスクリーン表示の表示位置の変更および表示部による再表示の制御を行うように構成することによって、容易に、本体制御部と記録媒体装置側制御部との通信により、サイズ変換後に記録媒体装置側で表示されるオンスクリーン表示を表示部からはみ出さずに表示することができる。また、本体側制御部と通信可能で、変換される映像の映像サイズに応じた位置に、オンスクリーン表示を表示するための表示位置データを予め記録可能な記録部を備え、本体側制御部を、記録部に予め記録された表示位置データを、記録媒体装置側制御部に送信可能なように構成することによって、変換される映像の映像サイズに応じたオンスクリーン表示の表示位置データに基づいて、オンスクリーン表示の表示位置の変更が行われるので、オンスクリーン表示を映像サイズに応じた最適な位置に表示することができる。
【００１３】
この発明の第２の局面による表示装置は、映像の表示が可能な表示部を含む装置本体と、装置本体に内蔵され、記録媒体に記録された映像データに基づいて表示部に映像を再生表示することが可能な記録媒体装置と、少なくとも映像のサイズ変換の制御を行う本体側制御部とを備え、記録媒体装置は、表示部で再生表示する映像に、文字を含む情報を重ねて表示するオンスクリーン表示手段と、本体側制御部と通信可能で、かつ、オンスクリーン表示手段によるオンスクリーン表示を制御する記録媒体装置側制御部とを含み、本体側制御部により、表示部に表示される映像のサイズ変換の制御を行う際に、記録媒体装置側制御部は、本体側制御部からの信号に基づいて、オンスクリーン表示の消去および表示位置の変更を行うとともに、変更された表示位置でオンスクリーン表示の表示部による再表示を制御するように構成されている。
【００１４】
この第２の局面による表示装置では、上記のように、装置本体に内蔵された記録媒体装置が、表示部で再生表示する映像に、文字を含む情報を重ねて表示するオンスクリーン表示手段と、本体側制御部と通信可能で、かつ、オンスクリーン表示手段によるオンスクリーン表示を制御する記録媒体装置側制御部とを含み、記録媒体装置側制御部が、本体側制御部からの信号に基づいて、オンスクリーン表示の消去および表示位置の変更を行うとともに、変更された表示位置でオンスクリーン表示の表示部による再表示を制御するように構成することによって、記録媒体装置側で表示されるオンスクリーン表示の表示位置を変更することができるので、サイズ変換後に記録媒体装置側で表示されるオンスクリーン表示が表示部からはみ出すことを防止することができる。また、記録媒体装置側制御部が、本体側制御部からの信号に基づいて、オンスクリーン表示の消去を行うことによって、記録媒体装置側でオンスクリーン表示を表示している際に、使用者がオンスクリーン表示を消去する操作を行うことなく、映像サイズの変換を行うことができる。
【００１５】
上記第２の局面による表示装置において、好ましくは、本体側制御部を、記録媒体装置側制御部にオンスクリーン表示の消去要求信号を送信した後に、表示部に表示される映像のサイズ変換の制御を行うように構成する。このように構成すれば、映像に重ねて表示されたオンスクリーン表示が、映像とともにはサイズ変換されないので、サイズ変換時にオンスクリーン表示が表示部からはみ出すことを防止することができる。これにより、サイズ変換後のみならず、サイズ変換時にも、オンスクリーン表示が表示部からはみ出すことを防止することができる。
【００１６】
上記第２の局面による表示装置において、好ましくは、本体側制御部によって制御され、映像のサイズ変換を行う映像サイズ変換部を備え、本体側制御部は、映像サイズ変換部によって映像のサイズ変換を行う際に、記録媒体装置側制御部にオンスクリーン表示の消去要求信号を送信するとともに、記録媒体装置側制御部からのオンスクリーン表示の消去通知信号を受信したことに応答して、映像サイズ変換部による映像のサイズ変換の制御を行うとともに、記録媒体装置側制御部にオンスクリーン表示の表示位置の変更要求信号を送信し、記録媒体装置側制御部は、本体側制御部からオンスクリーン表示の消去要求信号を受信したことに応答して、オンスクリーン表示手段によるオンスクリーン表示の消去を制御するとともに、本体側制御部にオンスクリーン表示の消去通知信号を送信し、本体側制御部からオンスクリーン表示の表示位置の変更要求信号を受信したことに応答して、オンスクリーン表示手段によるオンスクリーン表示の表示位置の変更および表示部による再表示の制御を行うように構成する。このように構成すれば、容易に、本体側制御部と記録媒体装置側制御部との通信により、サイズ変換後に記録媒体装置側で表示されるオンスクリーン表示を表示部からはみ出さずに表示することができる。
【００１７】
上記第２の局面による表示装置において、好ましくは、本体側制御部と通信可能で、変換される映像の映像サイズに応じた位置に、オンスクリーン表示を表示するための表示位置データを予め記録可能な記録部を備え、本体側制御部は、記録部に予め記録された表示位置データを、記録媒体装置側制御部に送信可能なように構成されている。このように構成すれば、変換される映像の映像サイズに応じたオンスクリーン表示の表示位置データに基づいて、オンスクリーン表示の表示位置の変更が行われるので、オンスクリーン表示を映像サイズに応じた最適な位置に表示することができる。
【発明を実施するための最良の形態】
【００１８】
以下、本発明を具体化した実施形態を図面に基づいて説明する。
【００１９】
図１は、本発明の一実施形態によるディスク装置付きテレビジョンの全体構成を示した斜視図である。図２は、図１に示した本発明の一実施形態によるディスク装置付きテレビジョンの構成を説明するためのブロック図である。図３〜図９は、図１に示した本発明の一実施形態によるディスク装置付きテレビジョンの詳細を示した図である。まず、図１〜図９を参照して、本発明の一実施形態によるディスク装置付きテレビジョンの構成について説明する。なお、本実施形態では、表示装置の一例であるディスク装置付きテレビジョンに本発明を適用した場合について説明する。
【００２０】
本発明の一実施形態によるディスク装置付きテレビジョン１は、図１に示すように、装置本体１０と、装置本体１０を支持する脚部２０とから構成されている。なお、装置本体１０は、本発明の「装置本体」の一例である。
【００２１】
また、図１に示すように、装置本体１０の前面には、横幅と高さとの比が約１６：９に構成された、映像を表示するための表示部１１ａと、装置本体１０の操作が可能なリモコン３０から送信される光信号を受信するリモコン受信部１１ｂとが配置されている。また、図１に示すように、装置本体１０の上面には、映像データを記録可能なＤＶＤ（デジタル多用途ディスク）４０を挿入するためのディスク挿入口１１ｃが設けられている。なお、ＤＶＤ４０は、本発明の「記録媒体」の一例である。
【００２２】
また、装置本体１０は、図２に示すように、上記した表示部１１ａおよびリモコン受信部１１ｂを含むテレビ装置１１と、別途設けられる、ＤＶＤ４０に記録された映像データに基づいて映像を再生することが可能なディスク装置１２とによって構成されている。なお、ディスク装置１２は、本発明の「記録媒体装置」の一例である。
【００２３】
ここで、本実施形態では、テレビ装置１１は、図２に示すように、上記の表示部１１ａおよびリモコン受信部１１ｂに加えて、外部機器としてビデオ再生機５０によって再生される映像の取得が可能な外部入力部１１ｄと、映像信号を受信するアンテナ６０から映像信号を取得することが可能なチューナー部１１ｅと、表示部１１ａで表示する映像のサイズ変換が可能なサイズ変換部１１ｆと、外部入力部１１ｄを介して入力されるビデオ再生機５０によって再生される映像、チューナー部１１ｅを介して入力されるアンテナ６０が受信する映像信号およびディスク装置１２を介して入力されるＤＶＤ４０に記録された映像データに基づいて再生される映像を取得可能に構成される入力選択部１１ｇと、入力選択部１１ｇによってチューナー部１１ｅから取得された映像信号に基づいて、映像を再生することが可能なデコーダ部１１ｈと、テレビ装置１１全体の動作制御を行う本体側制御部１１ｉと、記録部１１ｋとを含んでいる。なお、サイズ変換部１１ｆは、本発明の「映像サイズ変換部」の一例である。
【００２４】
入力選択部１１ｇは、外部入力部１１ｄを介して取得された映像、チューナー部１１ｅを介して取得された映像信号またはディスク装置１２を介して取得された映像のうちのいずれか１つを、本体側制御部１１ｉからの制御信号によって選択するように構成されている。また、入力選択部１１ｇは、外部入力部１１ｄを介して取得された映像またはディスク装置１２を介して取得された映像のいずれかを選択する際には、図２に示す（１）のルートにより選択する映像をデコーダ部１１ｈを介さずに直接サイズ変換部１１ｆに伝達するように構成されている。また、入力選択部１１ｇは、チューナー部１１ｅから取得する映像信号を選択する際には、図２に示す（２）のルートにより選択する映像信号をデコーダ部１１ｈを介してサイズ変換部１１ｆに伝達するように構成されている。
【００２５】
デコーダ部１１ｈは、表示部１１ａで表示する映像に、文字を含む情報を重ねて表示するオンスクリーン表示を行うためのＯＳＤ表示部１１ｊを含むとともに、入力選択部１１ｇから伝達される映像信号に基づいて再生する映像を、サイズ変換部１１ｆに伝達するように構成されている。また、ＯＳＤ表示部１１ｊは、本体側制御部１１ｉからの制御信号に基づいて、オンスクリーン表示の消去および表示位置の変更を行うとともに、変更された表示位置で再表示を行うことが可能なように構成されている。
【００２６】
また、記録部１１ｋは、サイズ変換部１１ｆでサイズ変換される映像の映像サイズに応じた位置に、オンスクリーン表示を表示するための表示位置データを予め記録可能に構成されている。また、記録部１１ｋは、本体側制御部１１ｉと通信可能に接続されている。
【００２７】
また、ディスク装置１２は、ＤＶＤ４０に記録された映像データの読み取りおよび再生を行うデコーダ部１２ａと、デコーダ部１２ａの動作制御を行うとともにテレビ装置１１の本体制御部１１ｉと通信可能な制御部１２ｂとを含む。また、デコーダ部１２ａには、表示部１１ａで表示する映像に、文字を含む情報を重ねて表示するオンスクリーン表示が可能なＯＳＤ表示部１２ｃが設けられている。また、デコーダ部１２ａに設けられたＯＳＤ表示部１２ｃは、制御部１２ｂが制御することによって、オンスクリーン表示の消去および表示位置の変更を行うとともに、変更された表示位置で再表示を行うことが可能なように構成されている。すなわち、本実施形態では、テレビ装置１１およびディスク装置１２にそれぞれＯＳＤ表示部１１ｊおよび１２ｃが設けられているとともに、テレビ装置１１の本体制御部１１ｉとディスク装置１２のＯＳＤ表示部１２ｃとが通信可能なように構成されている。なお、制御部１２ｂは、本発明の「記録媒体装置側制御部」の一例であり、ＯＳＤ表示部１２ｃは、本発明の「オンスクリーン表示手段」の一例である。
【００２８】
また、本実施形態では、装置本体１０は、図３に示すように、横幅と高さとの比が約４：３に構成される４：３映像と、図４に示すように、横幅と高さとの比が約１６：９に構成される１６：９映像とを表示可能に構成されている。また、装置本体１０は、４：３映像に対して、後述する４つの映像サイズに変換可能であるとともに、１６：９映像に対しても、後述する４つの映像サイズに変換可能である。また、装置本体１０は、映像のサイズ変換を行う際には、使用者によるリモコン３０の操作によって、４：３映像に対応した図５に示す画面モード７０および１６：９映像に対応した図６に示す画面モード８０が表示されるような構成となっている。また、装置本体１０は、図５に示す画面モード７０および図６に示す画面モード８０の映像サイズから、使用者のリモコン３０の操作によって、映像サイズが選択可能に構成されている。具体的には、４：３映像に対して選択可能な映像サイズは、図５に示すように、サイドバーモード７１、フルスクリーンモード７２、シネマモード７３およびワイドモード７４である。ここで、サイドバーモード７１では、４：３映像の左右に無表示部（図３のハッチング（斜線）を施した部分）を含み、映像の高さが、表示部１１ａ（１６：９）の高さと一致するように、縦横比を一定のまま調整された映像サイズ（図３の映像サイズ７１ａ）の映像が表示される。また、４：３映像のフルスクリーンモード７２では、４：３映像の高さを、表示部１１ａ（１６：９）の高さと一致させた状態で、４：３映像を左右に偏向拡大し、表示部１１ａ（１６：９）の横幅と一致するように調整された映像サイズの映像が表示される。また、４：３映像のシネマモード７３では、４：３映像の横幅が、表示部１１ａ（１６：９）の横幅と一致するように、縦横比を一定のまま調整された映像サイズ（図７の映像サイズ７３ａ）の映像が表示される。このシネマモード７３の場合、映像の上下端部が表示部１１ａからはみ出る。また、ワイドモード７４では、４：３映像の高さを、表示部１１ａ（１６：９）の高さと一致させた状態で、映像の左右端周辺のみを偏向拡大し、表示部１１ａ（１６：９）の横幅と一致するように調整された映像サイズの映像が表示される。
【００２９】
また、１６：９映像に対して選択可能な映像サイズは、図６に示すように、フルスクリーンモード８１、シネマモード８２、拡張モード８３およびズームモード８４である。また、この１６：９映像のフルスクリーンモード８１では、１６：９映像を、そのままの状態で表示部１１ａ（１６：９）に表示された映像サイズ（図４の映像サイズ８１ａ）の映像が表示される。また、１６：９映像のシネマモード８２では、１６：９映像の横幅を、表示部１１ａ（１６：９）の横幅と一致させた状態で、高さを偏向拡大された映像サイズ（図８の映像サイズ８２ａ）の映像が表示される。このシネマモード８２の場合、映像の上下端部が表示部１１ａからはみ出る。また、拡張モード８３では、１６：９映像の高さを、表示部１１ａ（１６：９）の高さと一致させた状態で、横幅を偏向拡大された映像サイズの映像が表示される。この拡張モード８３の場合、映像の左右端部が表示部１１ａからはみ出る。また、ズームモード８４では、１６：９映像を、縦横比を一定のまま拡大された映像サイズ（図９の映像サイズ８４ａ）の映像が表示される。このズームモード８４の場合、映像の上下左右端部が表示部１１ａからはみ出る。
【００３０】
ここで、本実施形態では、ディスク装置１２側でオンスクリーン表示を表示している際に、上述した４：３映像のシネマモード７３、１６：９映像のシネマモード８２およびズームモード８４に対応する映像サイズにサイズを変換する場合に、ディスク装置１２によるオンスクリーン表示の表示位置を変更し、再表示するように構成されている。
【００３１】
図１０〜図２２は、図１に示した本発明の一実施形態によるディスク装置付きテレビジョンで、ディスク装置側でオンスクリーン表示を表示している際に、上述した４：３映像のシネマモード、１６：９映像のシネマモードおよびズームモードに映像サイズを変換する動作を説明するための図である。ここでは、まず、本発明の一実施形態によるディスク装置付きテレビジョンで、ディスク装置側でオンスクリーン表示を表示している際に、４：３映像のサイドバーモード７１の映像サイズ７１ａからシネマモード７３の映像サイズ７３ａに映像サイズを変換する動作について、図１０に示すＯＳＤ表示位置変更動作フローに沿って説明する。
【００３２】
まず、図１１に示す４：３映像のサイドバーモード７１の映像サイズ７１ａにおいて、オンスクリーン表示９０が表示されている状態で、使用者がリモコン３０の操作によって、図１２に示すように、画面モード７０を表示する。そして、図１０のステップＳ１において、４：３映像のシネマモード７３、１６：９映像のシネマモード８２またはズームモード８４のいずれかが選択されたか否かが判断される。図１３に示すようにシネマモード７３が選択されると、ステップＳ１において、シネマモード７３が選択されたと判断され、ステップＳ２に進む。なお、４：３映像のシネマモード７３、１６：９映像のシネマモード８２またはズームモード８４以外のモードが選択された場合には、ステップＳ１において、４：３映像のシネマモード７３、１６：９映像のシネマモード８２またはズームモード８４が選択されなかったと判断されて、そのまま終了する。
【００３３】
ステップＳ２においては、テレビ装置１１側の本体制御部１１ｉによって、オンスクリーン消去要求信号がディスク装置１２側の制御部１２ｂに送信される。ディスク装置１２の制御部１２ｂでは、ステップＳ１１において、オンスクリーン消去要求信号を受信した後、ステップＳ１２において、制御部１２ｂからの信号に基づいてＯＳＤ表示部１２ｃによってオンスクリーン表示９０が消去される。そして、ステップＳ１３において、制御部１２ｂからテレビ装置１１側の本体制御部１１ｉにオンスクリーン消去通知信号が送信される。テレビ装置１１の本体側制御部１１ｉでは、ステップＳ３において、オンスクリーン消去通知信号が受信された後に、ステップＳ４において、サイズ変換部１１ｆを制御することによって、映像が図１４に示すように、シネマモード７３の映像サイズ７３ａにサイズ変換される。この際、図１４に示すように、オンスクリーン表示９０は消去された状態で、映像のみがシネマモード７３の映像サイズ７３ａに変換される。そして、ステップＳ５において、本体制御部１１ｉによって、記録部１１ｋに記録された表示位置データが取得された後、ステップＳ６において、表示位置データを含むオンスクリーン位置変更要求信号が、ディスク装置１２側の制御部１２ｂに送信される。
【００３４】
ディスク装置１２では、ステップＳ１４において、表示位置データを含むオンスクリーン位置変更要求信号が制御部１２ｂによって受信される。その後、ステップＳ１５において、制御部１２ｂによりＯＳＤ表示部１２ｃが制御されることにより、オンスクリーン表示９０は、表示位置データに基づいた表示位置に変更される。そして、ステップＳ１６において、図１５に示すように、オンスクリーン表示９０をシネマモード７３の映像サイズ７３ａの映像の最適な表示位置に重ねて再表示する。なお、本実施形態の比較例として、ＯＳＤ表示部１２ｃによってオンスクリーン表示９０の表示位置が変更されない場合は、図１６に示すように、映像のサイズ変換に伴ってオンスクリーン表示９０の一部が表示部１１ａからはみ出すという不具合が生じる。
【００３５】
次に、図１７〜図２０を参照して、本発明の一実施形態によるディスク装置付きテレビジョンで、ディスク装置側でオンスクリーン表示を表示している際に、１６：９映像のフルスクリーンモード８１の映像サイズ８１ａからシネマモード８２の映像サイズ８２ａに映像サイズを変換する動作について説明する。
【００３６】
まず、図１７に示す１６：９映像のフルスクリーンモード８１の映像サイズ８１ａにおいて、オンスクリーン表示９１が表示されている状態で、使用者がリモコン３０の操作によって、図１８に示すように、画面モード８０を表示する。そして、図１０のステップＳ１において、４：３映像のシネマモード７３、１６：９映像のシネマモード８２またはズームモード８４のいずれかが選択されたか否かが判断される。図１９に示すようにシネマモード８２が選択されると、ステップＳ１において、シネマモード８２が選択されたと判断され、ステップＳ２に進む。そして、上述の図１０のフローに沿って進み、ステップＳ１６において、図２０に示すように、オンスクリーン表示９１をシネマモード８２の映像サイズ８２ａの映像の最適な表示位置に重ねて再表示する。
【００３７】
次に、図１７、図１８、図２１および図２２を参照して、本発明の一実施形態によるディスク装置付きテレビジョンで、ディスク装置側でオンスクリーン表示を表示している際に、１６：９映像のフルスクリーンモード８１の映像サイズ８１ａからズームモード８４の映像サイズ８４ａに映像サイズを変換する動作について説明する。
【００３８】
まず、図１７に示す１６：９映像のフルスクリーンモード８１の映像サイズ８１ａにおいて、オンスクリーン表示９１が表示されている状態で、使用者がリモコン３０の操作によって、図１８に示すように、画面モード８０を表示する。そして、図１０のステップＳ１において、４：３映像のシネマモード７３、１６：９映像のシネマモード８２またはズームモード８４のいずれかが選択されたか否かが判断される。図２１に示すようにズームモード８４が選択されると、ステップＳ１において、ズームモード８４が選択されたと判断され、ステップＳ２に進む。そして、上述の図１０のフローに沿って進み、ステップＳ１６において、図２２に示すように、オンスクリーン表示９１をズームモード８４の映像サイズ８４ａの映像の最適な表示位置に重ねて再表示する。
【００３９】
本実施形態では、上記のように、装置本体１０に内蔵されたディスク装置１２が、表示部１１ａで再生表示する映像に、文字を含む情報を重ねて表示するＯＳＤ表示部１２ｃと、本体側制御部１１ｉと通信可能で、かつ、ＯＳＤ表示部１２ｃによるオンスクリーン表示を制御する制御部１２ｂとを含み、制御部１２ｂが、本体側制御部１１ｉからの信号に基づいて、オンスクリーン表示の消去および表示位置の変更を行うとともに、変更された表示位置でオンスクリーン表示の表示部１１ａによる再表示を制御するように構成することによって、ディスク装置１２側で表示されるオンスクリーン表示の表示位置を変更することができるので、サイズ変換後にディスク装置１２側で表示されるオンスクリーン表示が表示部１１ａからはみ出すことを防止することができる。また、ディスク装置１２側の制御部１２ｂが、本体側制御部１１ｉからの信号に基づいて、オンスクリーン表示の消去を行うことによって、ディスク装置１２側でオンスクリーン表示を表示している際に、使用者がオンスクリーン表示を消去する操作を行うことなく、映像サイズの変換を行うことができる。
【００４０】
また、本実施形態では、本体側制御部１１ｉを、記録媒体装置１２側の制御部１２ｂにオンスクリーン表示の消去要求信号を送信した後に、表示部１１ａに表示される映像のサイズ変換の制御を行うように構成することによって、映像に重ねて表示されたオンスクリーン表示が、映像とともにはサイズ変換されないので、サイズ変換時にオンスクリーン表示が表示部１１ａからはみ出すことを防止することができる。これによりサイズ変換後のみならず、サイズ変換時にも、オンスクリーン表示が表示部１１ａからはみ出すことを防止することができる。
【００４１】
また、本実施形態では、本体側制御部１１ｉによって制御され、映像のサイズ変換を行うサイズ変換部１１ｆを備え、本体側制御部１１ｉを、サイズ変換部１１ｆによって映像のサイズ変換を行う際に、記録媒体装置１２側の制御部１２ｂにオンスクリーン表示の消去要求信号を送信するとともに、制御部１２ｂからのオンスクリーン表示の消去通知信号を受信したことに応答して、サイズ変換部１１ｆによる映像のサイズ変換の制御を行うとともに、制御部１２ｂにオンスクリーン表示の表示位置の変更要求信号を送信するように構成し、制御部１２ｂを、本体側制御部１１ｉからオンスクリーン表示の消去要求信号を受信したことに応答して、ＯＳＤ表示部１２ｃによるオンスクリーン表示の消去を制御するとともに、本体側制御部１１ｉにオンスクリーン表示の消去通知信号を送信し、本体側制御部１１ｉからオンスクリーン表示の表示位置の変更要求信号を受信したことに応答して、ＯＳＤ表示部１２ｃによるオンスクリーン表示の表示位置の変更および表示部１１ａによる再表示の制御を行うように構成することによって、容易に、本体側制御部１１ｉと記録媒体装置１２側の制御部１２ｂとの通信により、サイズ変換後に記録媒体装置１２側で表示されるオンスクリーン表示を表示部１１ａからはみ出さずに表示することができる。
【００４２】
また、本実施形態では、本体側制御部１１ｉと通信可能で、変換される映像の映像サイズに応じた位置に、オンスクリーン表示を表示するための表示位置データを予め記録可能な記録部１１ｋを備え、本体側制御部１１ｉを、記録部１１ｋに予め記録された表示位置データを、記録媒体装置１２側の制御部１２ｂに送信可能なように構成することによって、変換される映像の映像サイズに応じたオンスクリーン表示の表示位置データに基づいて、オンスクリーン表示の表示位置の変更が行われるので、オンスクリーン表示を映像サイズに応じた最適な位置に表示することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、表示装置の一例としてディスク装置付きテレビジョンを示したが、本発明はこれに限らず、ディスク装置を備えた表示装置であれば、ディスク装置付きテレビジョン以外の他の表示装置にも適用可能である。
【００４５】
また、上記実施形態では、ＤＶＤを記録媒体の一例として示したが、本発明はこれに限らず、映像データを記録可能な記録媒体であれば、他の記録媒体を用いてもよい。
【００４６】
また、上記実施形態では、ＤＶＤ４０に記録された映像データに基づいて映像を再生することが可能な記録媒体装置の一例としてディスク装置を示したが、本発明はこれに限らず、記録ディスクに記録された映像データのみならず、ハードディスクに記録された映像データに基づいて映像を再生することが可能なディスク装置を用いてもよい。
【００４７】
また、上記実施形態では、ビデオ再生機を外部機器の一例として示したが、本発明はこれに限らず、映像を再生することが可能な外部機器であれば、他の外部機器を用いてもよい。
【００４８】
また、上記実施形態では、オンスクリーン表示位置の変更処理動作として、本体制御部は、サイズ変換部に対して映像のサイズ変換の制御を行った後に、記録部に記録された表示位置データを取得する構成の例を示したが、本発明はこれに限らず、ディスク装置側の制御部からオンスクリーン表示の消去通知信号を受信した後に、サイズ変換部に対して映像のサイズ変換の制御を行うものであれば、他の構成でもよい。
【００４９】
また、上記実施形態では、４：３映像のシネマモード、１６：９映像のシネマモードおよびズームモードに映像のサイズ変換をする際に、オンスクリーン表示を映像サイズに応じた最適な位置に再表示する構成の例を示したが、本発明はこれに限らず、他の映像サイズに変換する際にも、オンスクリーン表示を映像サイズに応じた最適な位置に再表示するように構成してもよい。
【図面の簡単な説明】
【００５０】
【図１】本発明の一実施形態によるディスク装置付きテレビジョンの全体構成を示した斜視図である。
【図２】図１に示した本発明の一実施形態によるディスク装置付きテレビジョンの構成を説明するためのブロック図である。
【図３】図１に示した本発明の一実施形態によるディスク装置付きテレビジョンの表示部に表示される４：３映像を示した図である。
【図４】図１に示した本発明の一実施形態によるディスク装置付きテレビジョンの表示部に表示される１６：９映像を示した図である。
【図５】図１に示した本発明の一実施形態によるディスク装置付きテレビジョンの表示部に表示される４：３映像の画面モードを示した図である。
【図６】図１に示した本発明の一実施形態によるディスク装置付きテレビジョンの表示部に表示される１６：９映像の画面モードを示した図である。
【図７】図１に示した本発明の一実施形態によるディスク装置付きテレビジョンの表示部に表示される４：３映像のシネマモードの映像サイズを示した図である。
【図８】図１に示した本発明の一実施形態によるディスク装置付きテレビジョンの表示部に表示される１６：９映像のシネマモードの映像サイズを示した図である。
【図９】図１に示した本発明の一実施形態によるディスク装置付きテレビジョンの表示部に表示される１６：９映像のズームモードの映像サイズを示した図である。
【図１０】図１に示した本発明の一実施形態によるディスク装置付きテレビジョンのオンスクリーン表示位置の変更処理動作を示したフロー図である。
【図１１】図１に示した本発明の一実施形態によるディスク装置付きテレビジョンの表示部に表示される４：３映像のサイドバーモードの映像に表示されたオンスクリーン表示を示した図である。
【図１２】図１に示した本発明の一実施形態によるディスク装置付きテレビジョンの表示部に表示される４：３映像の画面モードを示した図である。
【図１３】図１に示した本発明の一実施形態によるディスク装置付きテレビジョンの表示部に表示される４：３映像のシネマモードが選択された図である。
【図１４】図１に示した本発明の一実施形態によるディスク装置付きテレビジョンの表示部に表示される４：３映像のシネマモードの映像サイズを示した図である。
【図１５】図１に示した本発明の一実施形態によるディスク装置付きテレビジョンの表示部に表示される４：３映像のシネマモードの映像にオンスクリーン表示が再表示された図である。
【図１６】図１に示した本発明の一実施形態の比較例によるディスク装置付きテレビジョンの表示部に表示される４：３映像のシネマモードの映像に位置変更されていないオンスクリーン表示が再表示された図である。
【図１７】図１に示した本発明の一実施形態によるディスク装置付きテレビジョンの表示部に表示される１６：９映像のフルスクリーンモードの映像に表示されたオンスクリーン表示を示した図である。
【図１８】図１に示した本発明の一実施形態によるディスク装置付きテレビジョンの表示部に表示される１６：９映像の画面モードを示した図である。
【図１９】図１に示した本発明の一実施形態によるディスク装置付きテレビジョンの表示部に表示される１６：９映像のシネマモードが選択された図である。
【図２０】図１に示した本発明の一実施形態によるディスク装置付きテレビジョンの表示部に表示される１６：９映像のシネマモードの映像にオンスクリーン表示が再表示された図である。
【図２１】図１に示した本発明の一実施形態によるディスク装置付きテレビジョンの表示部に表示される１６：９映像のズームモードが選択された図である。
【図２２】図１に示した本発明の一実施形態によるディスク装置付きテレビジョンの表示部に表示される１６：９映像のズームモードの映像にオンスクリーン表示が再表示された図である。
【符号の説明】
【００５１】
１０      装置本体
１１      テレビ装置
１１ａ    表示部
１１ｆ    サイズ変換部（映像サイズ変換部）
１１ｉ    本体側制御部
１１ｋ    記録部
１２      ディスク装置（記録媒体装置）
１２ｂ    制御部（記録媒体装置側制御部）
１２ｃ    ＯＳＤ表示部（オンスクリーン表示手段）
４０      ＤＶＤ（記録媒体）
【図１】
2008135954.tif 000003
【図２】
2008135954.tif 000004
【図３】
2008135954.tif 000005
【図４】
2008135954.tif 000006
【図５】
2008135954.tif 000007
【図６】
2008135954.tif 000008
【図７】
2008135954.tif 000009
【図８】
2008135954.tif 000010
【図９】
2008135954.tif 000011
【図１０】
2008135954.tif 000012
【図１１】
2008135954.tif 000013
【図１２】
2008135954.tif 000014
【図１３】
2008135954.tif 000015
【図１４】
2008135954.tif 000016
【図１５】
2008135954.tif 000017
【図１６】
2008135954.tif 000018
【図１７】
2008135954.tif 000019
【図１８】
2008135954.tif 000020
【図１９】
2008135954.tif 000021
【図２０】
2008135954.tif 000022
【図２１】
2008135954.tif 000023
【図２２】
2008135954.tif 000024